(57)【要約】      （修正有）【課題】濾過及び殺菌の二重効果によってユーザーに更に安全な飲用水を提供する殺菌機能を備えた浄水ポットを提供する。【解決手段】殺菌機能を備えた浄水ポットの浄水ポット１は、少なくとも容器主体１０、濾過ユニット２０、少なくとも一つの殺菌照明具３０及び電源供給モジュール４０を含む。該容器主体は、内部に容水空間１３及び該容水空間下方に位置する淨水空間１４を備える。該容水空間と淨水空間の間には貯水流通する連通口を備え、該濾過ユニットは該連通口の位置に設置し、該殺菌照明具は該容器主体の淨水空間の一側に位置し、濾過ユニット２０を流通する濾過作用及び殺菌照明具の殺菌作用を容器に兼具する。【選択図】図１
0003188375.tif 000002
【実用新案登録請求の範囲】
【請求項１】
殺菌機能を備えた浄水ポットにおいて、少なくとも
入水口及び出水口を備え、内部は容水空間及び該容水空間下方の淨水空間を定義し、該入水口と容水空間は相互に連通し、該出水口と該淨水空間は相互に連通し、また該容水空間と淨水空間の間には水を貯めて流通する連通口を備える容器主体と、
該容器主体の連通口に位置して，該容水空間内部に貯めた水を該淨水空間へ流通させ、貯水雜質を濾過する濾過ユニットと、
該容器主体の淨水空間の一側に位置し、該淨水空間内部に向けて殺菌光線を投射する少なくとも一つの殺菌照明具と、
該容器主体側辺に位置し、該殺菌照明具を連接して電力を供給し、該電源供給モジュールは制御スイッチ及び少なくとも一つの電力ユニットを設置し、該制御スイッチは該電力ユニットと連接し、該電力ユニットに電力を供給するか否かを制御する電源供給モジュールを含むことを特徴とする殺菌機能を備えた浄水ポット。
【請求項２】
前記殺菌照明具は、該淨水空間底部に近い位置に横向きに設置することを特徴とする請求項１記載の殺菌機能を備えた浄水ポット。
【請求項３】
前記殺菌照明具は、該淨水空間に相対する該濾過ユニットの底部に設置することを特徴とする請求項１記載の殺菌機能を備えた浄水ポット。
【請求項４】
前記殺菌照明具は、外側に更に照明カバーを設置することを特徴とする請求項１から３のうちのいずれかに記載の殺菌機能を備えた浄水ポット。
【請求項５】
前記照明カバー外表面は、金属網カバーを設置することを特徴とする請求項４記載の殺菌機能を備えた浄水ポット。
【請求項６】
前記照明カバー外表面は光触媒層を被覆設置することを特徴とする請求項４記載の殺菌機能を備えた浄水ポット。
【考案の詳細な説明】
【技術分野】
【０００１】
本考案は、浄水ポットに関するもので、特に濾過及び殺菌功能を備えた浄水ポットに係わる。
【背景技術】
【０００２】
工業技術の発達に伴い、科学技術は日進月歩の勢いで進歩し人々の生活水準を向上させている。人々は日常生活のレジャーと食生活を日々重視するようになった。しかしながら、工業と科学技術が向上したが、人々の生活は反対に日々悪化し、現在では生活環境の水、空気、土壌、食物等が汚染されるばかりである。しかしながら、如何にして汚染されたものを排除しながら食の健康を保つのかは現代人が抱える大きな課題である。
【０００３】
水を例に取ると、現在、水源は著しく汚染されている。そのうち水質の濁度、内包される微生物量(大腸桿菌、バクテリア数)及び重金属汚染が最も深刻である。そのため、水中の汚染源を浄化するため、水道水は大量な塩素を入れて消毒浄化している。しかし、塩素を入れるとほとんどの微生物は除去されるものの、水中の雑質と重金属は除去できず、更に水中の塩素含有量は過多になり、人々にとってまずい飲用水となるだけでなく、健康を害することになる。
【０００４】
そのため、現在、人々は飲用水に対して、単純に飲水に適するか否かだけでなく、更に飲水自体の清潔と衛生を重視するようになった。そのため、現代では一般にRO膜、純水機、淨水器もしくは濾過器等淨水設備で水を濾過するようになった。
【０００５】
公知の浄水ポットは飲用水の中のループに付着した汚濁物質と本体の微量重金屬を有効に除去することができるが、水中に残留した微量な病毒もしくは微生物に対しては大きな効果を得ることができない。
【０００６】
故に、公知技術の浄水器（例として先行技術文献１参照）があり、それは本体部、淨水部、淨水通路、紫外線発光ダイオードを備える。本体部は淨水を淨水器から排出するのに用いる吐水口を備える。淨水部は、本体部内部に設置して原水を浄化する。淨水通路は淨水部と吐水口の間に設置する。紫外線発光ダイオードは紫外光(UV)を発する。紫外線発光ダイオードから発した紫外光(UV)は淨水通路内で淨水通路の延長方向に沿って照射される。
【０００７】
該公知技術は、紫外線灯よりも更に小さい紫外線発光ダイオードを使用しているので淨水器は大きくする必要なく、淨水器内で殺菌機能を保てる。また紫外光はおよそ淨水部で淨化された後の淨水が流れて淨水通路を通り延長方向に沿って照射される。そのため、広い範囲で有効に殺菌が行われる。
【先行技術文献】
【特許文献】
【０００８】
【特許文献１】台湾  実用新案登録第２０１１００３３４号
【考案の概要】
【考案が解決しようとする課題】
【０００９】
解決しようとする問題点は該紫外線発光ダイオードのパワーが小さいだけでなく、淨水で流動中同時に照射を行うので、その殺菌効果が良くない点である。
【課題を解決するための手段】
【００１０】
本考案は、少なくとも容器主体、濾過ユニット、少なくとも一殺菌照明具及び電源供給モジュールを含む。該容器主体は、内部に容水空間及び該容水空間下方に位置する淨水空間を備える。該容水空間と淨水空間の間には貯水流通する連通口を備え、該濾過ユニットは該連通口の位置に設置し、該殺菌照明具は該容器主体の淨水空間一側に位置し、濾過ユニットを流通する濾過作用及び殺菌照明具の殺菌作用を容器に兼具することを最も主要な特徴とする。
【考案の効果】
【００１１】
本考案の殺菌機能を備えた浄水ポットは、以下の利点がある。
浄水ポットは濾過及び殺菌の二重効果を兼ね備える。また殺菌照明具は淨水空間箇所に位置し、且つ淨水空間内部にある飲用水に対して殺菌光線を投射するため殺菌効果を效果が良い。その電源供給モジュールは容器主体の側辺に設置するので、ユーザーが操作しやすい。
【図面の簡単な説明】
【００１２】
【図１】本考案の浄水ポット第一実施例の構造立体図である。
【図２】本考案の浄水ポット第一実施例の構造指示図である。
【図３】本考案の浄水ポット第二実施例の構造立体図である。
【図４】本考案の殺菌照明具の構造指示図である。
【図５】本考案の殺菌照明具第一実施例の構造指示図である。
【図６】本考案の殺菌照明具第一実施例の構造指示図である。
【考案を実施するための形態】
【００１３】
濾過及び殺菌機能を兼ね備えた浄水ポットを提供することを本考案の主な目的とする。
【００１４】
上述の目的を達成するため、本考案の浄水ポットは、少なくとも容器主体、濾過ユニット、少なくとも一殺菌照明具及び電源供給モジュールを含む。該容器主体は、内部に容水空間及び該容水空間下方に位置する淨水空間を備え、また該容水空間と淨水空間の間には貯水流通する連通口を備え、該濾過ユニットは該容器主体の連通口に位置し、該殺菌照明具は該容器主体の淨水空間一側に位置して該淨水空間内部に向けて殺菌光線を投射し、該電源供給モジュールは該容器主体側辺に位置し、該殺菌照明具を連接して電力を供給する。
【００１５】
前述の技術手段に基づき、濾過ユニットを通す濾過作用及び殺菌照明具の殺菌作用によって、容器に濾過及び殺菌の二重効果を兼備させ、ユーザーに安全性の高い飲用水を提供する。更に該電源供給モジュールは該容器主体の側辺に位置するため、ユーザーは使用しやすい。    
【実施例１】
【００１６】
図式と共に、実施例を挙げて詳細に説明する。
図１は本考案の浄水ポット第一実施例の構造立体図であり、図２は本考案の浄水ポット第一実施例の構造指示図である。本考案の浄水ポット１は、少なくとも一容器主体１０、濾過ユニット２０、少なくとも一殺菌照明具３０及び電源供給モジュール４０を含む。そのうち、
【００１７】
容器主体１０は、入水口１１及び出水口１２、並びに内部に容水空間１３を有し、容水空間１３下方に淨水空間１４を備える。該入水口１１と容水空間１３は相互に連通し、該出水口１２は該淨水空間１４と相互に連通し、また該容水空間１３と淨水空間１３の間には貯水流通する連通口１５を備える。
【００１８】
濾過ユニット２０は、該容器主体の連通口１５に位置し、該容水空間１３内部から該淨水空間１４へ貯めた水を流通させ、水雜質を濾過流通させる。その濾過ユニット２０内部には濾過材を設置して容水空間１３から流入した飲用水の雜質を濾過吸着させ、飲用水を淨水空間１４へ達する前に先行して濾過する初歩効果を達成する。更に濾過ユニット２０最上部には更にリングプル２１を設置して，ユーザーがリングプル２１で濾過ユニット２０を容器主体１０内から分離して新しい濾過ユニットを交換させやすくする。
【００１９】
少なくとも一殺菌照明具３０は該容器主体の淨水空間１４一側に位置し、該淨水空間１４内部に向かって殺菌光線を投射する。図に示す実施例に於いて、殺菌照明具３０は淨水空間１４底部に近い位置に横向きに設置する。そのうち、殺菌照明具３０は冷陰極管であり、波長が約２５０〜２６０nmの紫外線(UV)を発出する。
【００２０】
電源供給モジュール４０は、該容器主体１０側辺に位置し、殺菌照明具３０に連接して電力を供給する。そのうち電源供給モジュール４０は制御スイッチ４１及び少なくとも一電力ユニット４２を設置し、制御スイッチ４１は電力ユニット４２と連接し、電力ユニット４２に電力を供給するか否かを制御する。当然、電力ユニット４２は永久式電池もしくは充電電池でもよい。
【００２１】
使用時、飲用水を入水口１１から容水空間１３内に入れる。先ず濾過ユニット２０を経由して容水空間１３から流入した飲用水雜質を吸着濾過し、濾過後の飲用水を淨水空間１４へ送り、内部の殺菌照明具３０で紫外線殺菌プロセスを行い、浄水ポットに同時に濾過及び殺菌の二重効果を備える。それらによって、ユーザーに更に容器内部の飲用水の安全性を提供する。当然、制御スイッチ４１によって、殺菌照明具３０の作動時間を制御し、少なくとも３０秒とすることで、更に確実に殺菌効果を高める。
【実施例２】
【００２２】
更に、図３の第二実施例が示すとおり、殺菌照明具３０を淨水空間１４に設置して濾過ユニット２０の底部に相対する。また殺菌照明具３０は外側に更に照明カバー３１を設置する。図４の実施例に示すとおり、殺菌照明具３０を保護し、且つ照明カバー３１の外表面には更に金属網カバー３２を設置する。図５の別の実施例に示すとおり、照明カバー３１の外表面に光触媒層３３を被覆する。もしくは照明カバー３１外表面に金属網カバー３２を設置し、該金属網カバー３２外表面に光触媒層３３を被覆する。図６の更に別の一実施例に示すとおり、殺菌照明具３０の光線を直接照射し光触媒材料を励起し、マイナスイオンを生み、殺菌效果を高める。
【００２３】
上述のとおり、本考案は浄水ポットを提供し、法に基づき実用新案を申請する。本考案の技術内容及び技術特徴は上述のとおりである。しかしながら、当該領域に習熟した技術者が本考案の創作精神から乖離しない各種入替えや修飾を実行した場合、それは本考案が実施例に制限されない保護範囲であることから、本考案から乖離しない入替え及び修飾各種はすべて以下の請求範囲に含まれるものとする。
【符号の説明】
【００２４】
１        浄水ポット
１０      容器主体
１１      入水口
１２      出水口
１３      容水空間
１４      淨水空間
１５      連通口
２０      濾過ユニット
２１      リングプル
３０      殺菌照明具
３１      照明カバー
３２      金属網カバー
３３      光触媒層
４０      電源供給モジュール
４１      制御スイッチ
４２      電力ユニット
【図１】
0003188375.tif 000003
【図２】
0003188375.tif 000004
【図３】
0003188375.tif 000005
【図４】
0003188375.tif 000006
【図５】
0003188375.tif 000007
【図６】
0003188375.tif 000008